(57)【要約】【課題】広告の切り換えや広告に関する情報の要求操作をしない広告閲覧者に対しても広告効果を向上させることができる広告情報提供システムを提供する。【解決手段】ネットワークを介して通信可能な携帯端末装置に付され携帯端末装置を識別するための端末識別情報が格納された無線タグと、設置された場所に関する属性情報が格納された属性情報格納装置と、広告情報を配信する情報配信装置と、情報配信装置によって配信された広告情報を出力する情報出力装置とを備える。【選択図】    図１
2004354619.tif 000002
【特許請求の範囲】
【請求項１】
ネットワークを介して通信可能な携帯端末装置に付され前記携帯端末装置を識別するための端末識別情報が格納された無線タグと、
設置された場所に関する属性情報が格納された属性情報格納装置と、
広告情報を配信する情報配信装置と、
前記情報配信装置によって配信された広告情報を出力する情報出力装置とを備えた広告情報提供システムであって、
前記属性情報格納装置は、
前記端末識別情報を前記無線タグより読み込む第１の端末識別情報読込手段と、
前記端末識別情報が前記第１の端末識別情報読込手段によって読み込まれた時間を表す時間情報および前記属性情報を含む端末属性情報を生成する端末属性情報生成手段と、を有し、
前記情報配信装置は、
複数の広告情報を予め格納する広告情報格納手段と、
前記端末属性情報生成手段によって生成された端末属性情報を前記第１の端末識別情報読込手段によって読み込まれた端末識別情報と対応させて格納する端末属性情報格納手段と、
前記端末識別情報に基づいて前記属性情報格納手段より端末属性情報を取得する端末属性情報取得手段と、
前記端末属性情報取得手段によって取得された端末属性情報に基づいて前記広告情報格納手段より広告情報を取得する広告情報取得手段と、を有し、
前記情報出力装置は、
前記端末識別情報を前記無線タグより読み込む第２の端末識別情報読込手段と、
前記第２の端末識別情報読込手段によって読み込まれた端末識別情報に基づいて前記広告情報取得手段によって取得された広告情報を出力する広告情報出力手段と、を有し
たことを特徴とする広告情報提供システム。
【請求項２】
ネットワークを介して通信可能な携帯端末装置に付され前記携帯端末装置を識別するための端末識別情報が格納された無線タグと、
設置された場所に関する属性情報が格納された属性情報格納装置と、
広告情報を配信する情報配信装置と、
前記情報配信装置によって配信された広告情報を出力する情報出力装置とを備えた広告情報提供システムであって、
前記属性情報格納装置は、
前記無線タグを検知すると共に前記無線タグを検知した時間を表す時間情報および前記属性情報を含む端末属性情報を前記無線タグに書き込む端末属性情報書込手段を有し、
前記情報配信装置は、
複数の広告情報を予め格納する広告情報格納手段と、
前記端末識別情報および前記端末属性情報に基づいて前記広告情報格納手段より広告情報を取得する広告情報取得手段と、を有し、
前記情報出力装置は、
前記端末識別情報および前記端末属性情報を前記無線タグより読み込む端末識別情報読込手段と、
前記端末識別情報読込手段によって読み込まれた端末識別情報および端末属性情報に基づいて前記広告情報取得手段によって取得された広告情報を出力する広告情報出力手段と、を有し
たことを特徴とする広告情報提供システム。
【請求項３】
前記情報出力装置は、前記属性情報格納装置をさらに備え、
前記属性情報は、前記広告情報出力手段によって出力された広告情報に関する情報も含むようにしたことを特徴とする請求項１又は請求項２に記載の広告情報提供システム。
【請求項４】
前記広告情報格納手段は、前記広告情報に関する付加情報をさらに格納し、
前記広告情報取得手段は、前記広告情報と共に前記付加情報を取得し、
前記情報配信装置は、前記端末識別情報と対応させて前記携帯端末装置のアドレス情報を予め格納するアドレス情報格納手段と、
前記端末識別情報に基づいて携帯端末装置の前記ネットワークにおけるアドレスを表すアドレス情報を前記アドレス情報格納手段より取得するアドレス情報取得手段と、
前記広告情報取得手段によって取得された付加情報を前記アドレス情報取得手段によって取得されたアドレス情報に基づいて前記ネットワークを介して送信する付加情報送信手段と
を備えたことを特徴とする請求項１から請求項３の何れかに記載の広告情報提供システム。
【請求項５】
前記情報出力装置は、前記広告情報出力手段を識別する出力先識別情報を予め格納する出力先識別情報格納手段を備え、
前記広告情報取得手段による広告情報の取得が、さらに前記出力先識別情報に基づいて行われるようにしたことを特徴とする請求項１から請求項４の何れかに記載の広告情報提供システム。
【請求項６】
前記情報配信装置は、現在時刻を表す時刻情報を生成する時刻情報生成手段を備え、
前記広告情報取得手段による広告情報の取得が、さらに前記時刻情報に基づいて行われるようにしたことを特徴とする請求項１から請求項５の何れかに記載の広告情報提供システム。
【請求項７】
ネットワークを介して通信可能な携帯端末装置に付され前記携帯端末装置を識別するための端末識別情報が格納された無線タグと、
設置された場所に関する属性情報が格納された属性情報格納装置と、
広告情報を配信する情報配信装置と、
前記情報配信装置によって配信された広告情報を出力する情報出力装置とを備えた広告情報提供システムにおける広告情報提供方法であって、
前記属性情報格納装置は、
前記端末識別情報を前記無線タグより読み込む第１の端末識別情報読込過程と、
前記端末識別情報が前記第１の端末識別情報読込過程によって読み込まれた時間を表す時間情報および前記属性情報を含む端末属性情報を生成する端末属性情報生成過程と、を有し、
前記情報配信装置は、
複数の広告情報を予め格納する広告情報格納過程と、
前記端末属性情報生成過程によって生成された端末属性情報を前記第１の端末識別情報読込過程によって読み込まれた端末識別情報と対応させて格納する端末属性情報格納過程と、
前記端末識別情報に基づいて前記属性情報格納過程より端末属性情報を取得する端末属性情報取得過程と、
前記端末属性情報取得過程によって取得された端末属性情報に基づいて前記広告情報格納過程より広告情報を取得する広告情報取得過程と、を有し、
前記情報出力装置は、
前記端末識別情報を前記無線タグより読み込む第２の端末識別情報読込過程と、
前記第２の端末識別情報読込過程によって読み込まれた端末識別情報に基づいて前記広告情報取得過程によって取得された広告情報を出力する広告情報出力過程と、を有し
たことを特徴とする広告情報提供方法。
【請求項８】
ネットワークを介して通信可能な携帯端末装置に付され前記携帯端末装置を識別するための端末識別情報が格納された無線タグと、
設置された場所に関する属性情報が格納された属性情報格納装置と、
広告情報を配信する情報配信装置と、
前記情報配信装置によって配信された広告情報を出力する情報出力装置とを備えた広告情報提供システムにおける広告情報提供方法であって、
前記属性情報格納装置は、
前記無線タグを検知すると共に前記無線タグを検知した時間を表す時間情報および前記属性情報を含む端末属性情報を前記無線タグに書き込む端末属性情報書込過程を有し、
前記情報配信装置は、
複数の広告情報を予め格納する広告情報格納過程と、
前記端末識別情報および前記端末属性情報に基づいて前記広告情報格納過程より広告情報を取得する広告情報取得過程と、を有し、
前記情報出力装置は、
前記端末識別情報および前記端末属性情報を前記無線タグより読み込む端末識別情報読込過程と、
前記端末識別情報読込過程によって読み込まれた端末識別情報および端末属性情報に基づいて前記広告情報取得過程によって取得された広告情報を出力する広告情報出力過程と、を有し
たことを特徴とする広告情報提供方法。
【請求項９】
前記情報出力装置は、前記属性情報格納装置をさらに備え、
前記属性情報は、前記広告情報出力過程によって出力された広告情報に関する情報も含むようにしたことを特徴とする請求項７又は請求項８に記載の広告情報提供方法。
【請求項１０】
前記広告情報格納過程は、前記広告情報に関する付加情報をさらに格納し、
前記広告情報取得過程は、前記広告情報と共に前記付加情報を取得し、
前記情報配信装置は、前記端末識別情報と対応させて前記携帯端末装置のアドレス情報を予め格納するアドレス情報格納過程と、
前記端末識別情報に基づいて携帯端末装置の前記ネットワークにおけるアドレスを表すアドレス情報を前記アドレス情報格納過程より取得するアドレス情報取得過程と、
前記広告情報取得過程によって取得された付加情報を前記アドレス情報取得過程によって取得されたアドレス情報に基づいて前記ネットワークを介して送信する付加情報送信過程と
を有することを特徴とする請求項７から請求項９の何れかに記載の広告情報提供方法。
【請求項１１】
前記情報出力装置は、前記広告情報出力過程を識別する出力先識別情報を予め格納する出力先識別情報格納過程を有し、
前記広告情報取得過程による広告情報の取得が、さらに前記出力先識別情報に基づいて行われるようにしたことを特徴とする請求項７から請求項１０の何れかに記載の広告情報提供方法。
【請求項１２】
前記情報配信装置は、現在時刻を表す時刻情報を生成する時刻情報生成過程を有し、
前記広告情報取得過程による広告情報の取得が、さらに前記時刻情報に基づいて行われるようにしたことを特徴とする請求項７から請求項１１の何れかに記載の広告情報提供方法。
【発明の詳細な説明】
【０００１】
【発明の属する技術分野】
本発明は、広告情報提供システムに関し、詳しくは、携帯電話等の携帯端末装置に付された無線タグに格納された情報に基づいて映像等の広告情報を提供する広告情報提供システムに関するものである。
【０００２】
【従来の技術】
従来、街頭や店舗等に設置され、ブラウン管や液晶等を使用して広告を表示する情報出力装置が知られている。これら従来の情報出力装置は、予め格納された映像情報を以って広告を表示するものと、ネットワークを介して受信した映像情報を以って広告を表示するものがある。
広告効果を高めるものとして、例えば、特許文献１にあるように、携帯端末から所定の電話番号に電話をしたり、電子メイルアドレスに電子メイルを送信したりすることで、広告閲覧者の要求に応じて情報出力装置に表示される広告を切り換えるものがある。
また、特許文献２にあるように、携帯端末から所定のホームページにアクセスし、情報出力装置の位置情報を送信することによって、情報出力装置に表示されている広告に関する情報が携帯端末に送信されるものがある。
【０００３】
【特許文献１】
特開２００２−１５０１３０号公報
【特許文献２】
特開２００２−３４２２０９号公報
【０００４】
【発明が解決しようとする課題】
しかしながら、特許文献１、２に示す従来の技術では、広告閲覧者によって広告の切り換えや広告に関する情報の要求操作を行わせる必要があるため、要求操作をしない広告閲覧者に対しても広告効果を向上させたいという要求がある。
【０００５】
本発明は、このような事情に鑑みてなされたもので、広告の切り換えや広告に関する情報の要求操作をしない広告閲覧者に対しても広告効果を向上させることができる広告情報提供システム及び広告情報提供方法を提供することを目的とする。
【０００６】
【課題を解決するための手段】
請求項１に記載の発明は、ネットワークを介して通信可能な携帯端末装置に付され前記携帯端末装置を識別するための端末識別情報が格納された無線タグと、設置された場所に関する属性情報が格納された属性情報格納装置と、広告情報を配信する情報配信装置と、前記情報配信装置によって配信された広告情報を出力する情報出力装置とを備えた広告情報提供システムであって、前記属性情報格納装置は、前記端末識別情報を前記無線タグより読み込む第１の端末識別情報読込手段と、前記端末識別情報が前記第１の端末識別情報読込手段によって読み込まれた時間を表す時間情報および前記属性情報を含む端末属性情報を生成する端末属性情報生成手段とを有し、前記情報配信装置は、複数の広告情報を予め格納する広告情報格納手段と、前記端末属性情報生成手段によって生成された端末属性情報を前記第１の端末識別情報読込手段によって読み込まれた端末識別情報と対応させて格納する端末属性情報格納手段と、前記端末識別情報に基づいて前記属性情報格納手段より端末属性情報を取得する端末属性情報取得手段と、前記端末属性情報取得手段によって取得された端末属性情報に基づいて前記広告情報格納手段より広告情報を取得する広告情報取得手段とを有し、前記情報出力装置は、前記端末識別情報を前記無線タグより読み込む第２の端末識別情報読込手段と、前記第２の端末識別情報読込手段によって読み込まれた端末識別情報に基づいて前記広告情報取得手段によって取得された広告情報を出力する広告情報出力手段とを有したことを特徴とする。
この構成により、広告閲覧者によって携行される携帯端末装置に付された無線タグに格納された端末識別情報を以って、広告閲覧者の位置や移動履歴を得ることによって提供する広告を変化させるため、広告の切り換えや広告に関する情報の要求操作をしない広告閲覧者に対しても広告効果を向上させることができる。
【０００７】
請求項２に記載の発明は、ネットワークを介して通信可能な携帯端末装置に付され前記携帯端末装置を識別するための端末識別情報が格納された無線タグと、設置された場所に関する属性情報が格納された属性情報格納装置と、広告情報を配信する情報配信装置と、前記情報配信装置によって配信された広告情報を出力する情報出力装置とを備えた広告情報提供システムであって、前記属性情報格納装置は、前記無線タグを検知すると共に前記無線タグを検知した時間を表す時間情報および前記属性情報を含む端末属性情報を前記無線タグに書き込む端末属性情報書込手段を有し、前記情報配信装置は、複数の広告情報を予め格納する広告情報格納手段と、前記端末識別情報および前記端末属性情報に基づいて前記広告情報格納手段より広告情報を取得する広告情報取得手段とを有し、前記情報出力装置は、前記端末識別情報および前記端末属性情報を前記無線タグより読み込む端末識別情報読込手段と、前記端末識別情報読込手段によって読み込まれた端末識別情報および端末属性情報に基づいて前記広告情報取得手段によって取得された広告情報を出力する広告情報出力手段とを有したことを特徴とする。
この構成により、広告閲覧者によって携行される携帯端末装置に付された無線タグに格納された端末識別情報および端末属性情報を以って、広告閲覧者の位置や移動履歴を得ることによって提供する広告を変化させるため、広告の切り換えや広告に関する情報の要求操作をしない広告閲覧者に対しても広告効果を向上させることができる。
【０００８】
請求項３に記載の発明は、前記情報出力装置は、前記属性情報格納装置をさらに備え、前記属性情報は、前記広告情報出力手段によって出力された広告情報に関する情報も含むようにしたことを特徴とする。
この構成により、広告情報を出力する情報出力装置によって出力された広告に関する情報を属性情報に含めるようにしたため、広告閲覧者が出力された広告をどの程度視聴したかが推定でき、広告閲覧者にとって興味がある商品を推定することができる。
【０００９】
請求項４に記載の発明は、前記広告情報格納手段は、前記広告情報に関する付加情報をさらに格納し、前記広告情報取得手段は、前記広告情報と共に前記付加情報を取得し、前記情報配信装置は、前記端末識別情報と対応させて前記携帯端末装置のアドレス情報を予め格納するアドレス情報格納手段と、前記端末識別情報に基づいて携帯端末装置の前記ネットワークにおけるアドレスを表すアドレス情報を前記アドレス情報格納手段より取得するアドレス情報取得手段と、前記広告情報取得手段によって取得された付加情報を前記アドレス情報取得手段によって取得されたアドレス情報に基づいて前記ネットワークを介して送信する付加情報送信手段とを備えたことを特徴とする。
この構成により、広告閲覧者によって携行される携帯端末装置に付された無線タグに格納された情報に基づいて、配信した広告に関する付加情報を広告閲覧者に向けて送信するため、広告に関する情報の要求操作をしない広告閲覧者に対しても広告効果を向上させることができる。
【００１０】
請求項５に記載の発明は、前記情報出力装置は、前記広告情報出力手段を識別する出力先識別情報を予め格納する出力先識別情報格納手段を備え、前記広告情報取得手段による広告情報の取得が、さらに前記出力先識別情報に基づいて行われるようにしたことを特徴とする。
この構成により、広告の出力先を特定できる出力先識別情報に基づいて広告情報が配信されるため、広告情報の出力場所に応じた広告情報を提供することができる。
【００１１】
請求項６に記載の発明は、前記情報配信装置は、現在時刻を表す時刻情報を生成する時刻情報生成手段を備え、前記広告情報取得手段による広告情報の取得が、さらに前記時刻情報に基づいて行われるようにしたことを特徴とする。
この構成により、広告が出力される時刻に基づいて広告情報が配信されるため、広告情報の出力時間帯に応じた広告情報を提供することができる。
【００１２】
請求項７に記載の発明は、ネットワークを介して通信可能な携帯端末装置に付され前記携帯端末装置を識別するための端末識別情報が格納された無線タグと、設置された場所に関する属性情報が格納された属性情報格納装置と、広告情報を配信する情報配信装置と、前記情報配信装置によって配信された広告情報を出力する情報出力装置とを備えた広告情報提供システムにおける広告情報提供方法であって、前記属性情報格納装置は、前記端末識別情報を前記無線タグより読み込む第１の端末識別情報読込過程と、前記端末識別情報が前記第１の端末識別情報読込過程によって読み込まれた時間を表す時間情報および前記属性情報を含む端末属性情報を生成する端末属性情報生成過程とを有し、前記情報配信装置は、複数の広告情報を予め格納する広告情報格納過程と、前記端末属性情報生成過程によって生成された端末属性情報を前記第１の端末識別情報読込過程によって読み込まれた端末識別情報と対応させて格納する端末属性情報格納過程と、前記端末識別情報に基づいて前記属性情報格納過程より端末属性情報を取得する端末属性情報取得過程と、前記端末属性情報取得過程によって取得された端末属性情報に基づいて前記広告情報格納過程より広告情報を取得する広告情報取得過程とを有し、前記情報出力装置は、前記端末識別情報を前記無線タグより読み込む第２の端末識別情報読込過程と、前記第２の端末識別情報読込過程によって読み込まれた端末識別情報に基づいて前記広告情報取得過程によって取得された広告情報を出力する広告情報出力過程とを有したことを特徴とする。
【００１３】
請求項８に記載の発明は、ネットワークを介して通信可能な携帯端末装置に付され前記携帯端末装置を識別するための端末識別情報が格納された無線タグと、設置された場所に関する属性情報が格納された属性情報格納装置と、広告情報を配信する情報配信装置と、前記情報配信装置によって配信された広告情報を出力する情報出力装置とを備えた広告情報提供システムにおける広告情報提供方法であって、前記属性情報格納装置は、前記無線タグを検知すると共に前記無線タグを検知した時間を表す時間情報および前記属性情報を含む端末属性情報を前記無線タグに書き込む端末属性情報書込過程を有し、前記情報配信装置は、複数の広告情報を予め格納する広告情報格納過程と、前記端末識別情報および前記端末属性情報に基づいて前記広告情報格納過程より広告情報を取得する広告情報取得過程とを有し、前記情報出力装置は、前記端末識別情報および前記端末属性情報を前記無線タグより読み込む端末識別情報読込過程と、前記端末識別情報読込過程によって読み込まれた端末識別情報および端末属性情報に基づいて前記広告情報取得過程によって取得された広告情報を出力する広告情報出力過程とを有したことを特徴とする。
【００１４】
請求項９に記載の発明は、前記情報出力装置は、前記属性情報格納装置をさらに備え、前記属性情報は、前記広告情報出力過程によって出力された広告情報に関する情報も含むようにしたことを特徴とする。
【００１５】
請求項１０に記載の発明は、前記広告情報格納過程は、前記広告情報に関する付加情報をさらに格納し、前記広告情報取得過程は、前記広告情報と共に前記付加情報を取得し、前記情報配信装置は、前記端末識別情報と対応させて前記携帯端末装置のアドレス情報を予め格納するアドレス情報格納過程と、前記端末識別情報に基づいて携帯端末装置の前記ネットワークにおけるアドレスを表すアドレス情報を前記アドレス情報格納過程より取得するアドレス情報取得過程と、前記広告情報取得過程によって取得された付加情報を前記アドレス情報取得過程によって取得されたアドレス情報に基づいて前記ネットワークを介して送信する付加情報送信過程とを有することを特徴とする。
【００１６】
請求項１１に記載の発明は、前記情報出力装置は、前記広告情報出力過程を識別する出力先識別情報を予め格納する出力先識別情報格納過程を有し、前記広告情報取得過程による広告情報の取得が、さらに前記出力先識別情報に基づいて行われるようにしたことを特徴とする。
【００１７】
請求項１２に記載の発明は、前記情報配信装置は、現在時刻を表す時刻情報を生成する時刻情報生成過程を有し、前記広告情報取得過程による広告情報の取得が、さらに前記時刻情報に基づいて行われるようにしたことを特徴とする。
【００１８】
【発明の実施の形態】
以下、本発明の一実施形態による広告情報提供システムを図面を参照して説明する。
（第１の実施の形態）
図１は、本発明の第１の実施の形態に係る広告情報提供システム１０００の構成を示すブロック図である。
広告情報提供システム１０００は、ネットワーク１０を介して通信可能な携帯端末装置１００に付され携帯端末装置１００を識別するための端末識別情報が格納された無線タグ１１０と、設置された場所に関する属性情報が格納された属性情報格納装置２００と、広告情報を出力する情報出力装置３００と、ネットワーク１０を介して情報出力装置３００に広告情報を配信する情報配信装置４００とを備えている。
ここで、広告情報は、映像情報、静止画情報、音声情報、または文字情報等よりなり、本実施形態においては、広告情報として映像情報を適用した例について説明する。
なお、図１において、１つの属性情報格納装置２００および１つの情報出力装置３００が図示されているが、広告情報提供システム１０００は、複数の属性情報格納装置２００および複数の情報出力装置３００によって構成されていてもよい。
【００１９】
図２は、属性情報格納装置２００の構成を示すブロック図である。
属性情報格納装置２００は、端末識別情報を無線タグ１１０より読み込む端末識別情報読込手段２１０と、属性情報格納装置２００が設置された場所に関する属性情報が格納された属性情報格納手段２２０と、端末識別情報が端末識別情報読込手段２１０によって読み込まれた時間を表す時間情報および属性情報を含む端末属性情報を生成する端末属性情報生成手段２３０と、ネットワーク１０に接続された装置と通信を行うネットワークインタフェイス２９０とを備えている。
【００２０】
端末識別情報読込手段２１０は、公知のＲＦＩＤ（Ｒａｄｉｏ  Ｆｒｅｑｕｅｎｃｙ  Ｉｄｅｎｔｉｆｉｃａｔｉｏｎ、電波方式認識）技術によって、電波を介して非接触で無線タグ１１０に格納された端末識別情報を読み込むようになっている。属性情報格納手段２２０には、属性情報格納装置２００が設置された場所に関する属性情報が格納されている。
ここで、複数の属性情報格納装置２００がデパートに設置されている場合を例に説明すると、属性情報格納手段２２０に格納されている属性情報には、「書店」、「食品売り場」、または「紳士服売り場」等の設置された売り場を表す情報が含まれている。
【００２１】
端末属性情報生成手段２３０は、端末識別情報読込手段２１０によって無線タグ１１０が検知された時間を計時し、計時した時間よりなる時間情報と属性情報とを含む端末属性情報を生成し、生成した端末属性情報を情報配信装置４００にネットワークインタフェイス２９０を介して送信するようになっている。すなわち、複数の属性情報格納装置２００がデパートに設置されている場合には、端末属性情報を集計することによって、携帯端末の所持者（以下、単に携帯所持者という。）が、まず「書店」に１時間滞留し、次に、「食品売り場」に２時間滞留したといった移動履歴を知ることができる。これにより、情報配信装置４００において、携帯所持者にとって興味がある商品や頻繁に購入する商品を推定できる。また、複数の属性情報格納装置２００が街頭に設置されている場合は、属性情報格納手段２２０に格納されている属性情報には、「ＸＸＸ商店街」や「ＸＸ駅」等の設置された場所を表す情報が含まれている。これにより、情報配信装置４００において、携帯所持者がよく立ち寄る場所が分かる。
【００２２】
図３は、情報出力装置３００の構成を示すブロック図である。
情報出力装置３００は、端末識別情報を無線タグ１１０より読み込む端末識別情報読込手段３１０と、情報配信装置４００によって配信された広告情報を出力する広告情報出力手段３２０と、広告情報出力手段３２０を識別する出力先識別情報を予め格納する出力先識別情報格納手段３３０と、ネットワーク１０に接続された装置と通信を行うネットワークインタフェイス３９０とを備えている。
【００２３】
端末識別情報読込手段３１０は、前述した端末識別情報読込手段２１０と同様に、電波を介して非接触で無線タグ１１０に格納された端末識別情報を読み込み、読み込んだ端末識別情報を出力先識別情報格納手段３３０に格納された出力先識別情報と共にネットワークインタフェイス３９０を介して情報配信装置４００に送信するようになっている。広告情報出力手段３２０は、映像情報を出力するためのディスプレイ装置と映像情報に含まれる音声情報を出力するためのスピーカ装置を備え、ネットワークインタフェイス３９０を介して受信された広告情報を出力するようになっている。
【００２４】
また、本実施形態において、情報出力装置３００は、属性情報格納装置をさらに備える。すなわち、情報出力装置３００は、情報出力装置３００が設置された場所に関する属性情報が格納された属性情報格納手段３４０と、端末属性情報を生成する端末属性情報生成手段３５０とを備えている。
ここで、属性情報格納手段３４０および端末属性情報生成手段３５０は、属性情報格納装置２００を構成する属性情報格納手段２２０および端末属性情報生成手段２３０とそれぞれ同一な構成であるが、属性情報格納手段３４０に格納される属性情報は、広告情報出力手段３２０によって出力された広告に関する情報を含んでいる。
属性情報に広告に関する情報を含めることによって、携帯所持者が広告情報出力手段３２０によって出力された広告をどの程度視聴したかが推定でき、携帯所持者にとって興味がある商品を推定することができる。
【００２５】
図４は、情報配信装置４００の構成を示すブロック図である。
情報配信装置４００は、複数の広告情報および広告情報に関する付加情報を予め格納する広告情報格納手段４１０と、現在時刻を表す時刻情報を生成する時刻情報生成手段４２０と、端末属性情報を端末識別情報と対応させて格納する属性情報格納手段４３０と、端末識別情報に基づいて属性情報格納手段４３０より端末属性情報を取得する端末属性情報取得手段４４０と、広告情報格納手段４１０より広告情報を取得する広告情報取得手段４５０と、広告情報を配信する広告情報配信手段４６０と、端末識別情報に対応する携帯端末装置１００の送信アドレスを表すアドレス情報を格納するアドレス情報格納手段４７０と、アドレス情報格納手段４７０よりアドレス情報を取得するアドレス情報取得手段４７５と、広告情報に関する付加情報を送信する付加情報送信手段４８０と、ネットワーク１０に接続された装置と通信を行うネットワークインタフェイス４９０とを備えている。
【００２６】
広告情報格納手段４１０には、複数の広告情報および広告情報に関する付加情報が対応して格納されている。ここで、付加情報には、例えば広告情報に示される店舗への地図、イベント等のスケジュール、広告の詳細情報、広告元によって開設されたホームページのアドレス、および広告元に有効なクーポン情報等が含まれている。なお、広告情報格納手段４１０には、全ての広告情報に対する付加情報が格納されているとは限らない。属性情報格納手段４３０は、属性情報格納装置２００によって送信された端末属性情報をネットワークインタフェイス４９０を介して受信し、受信した端末属性情報を格納する。端末属性情報取得手段４４０は、情報出力装置３００によって送信された端末識別情報をネットワークインタフェイス４９０を介して受信し、受信した端末識別情報に対応する端末属性情報を属性情報格納手段４３０より取得するようになっている。広告情報取得手段４５０は、予め定められたスケジュールに基づいて広告情報格納手段４１０に格納されている広告情報および付加情報を取得するようになっている。
【００２７】
ここで、広告情報取得手段４５０は、情報出力装置３００によって送信された端末識別情報をネットワークインタフェイス４９０を介して受信（以下、単にアクセスという。）したときには、情報出力装置３００によって送信された出力先識別情報、端末属性情報取得手段４４０によって取得された端末属性情報、および時刻情報生成手段４２０によって生成された時刻情報に基づいて広告情報格納手段４１０より広告情報および付加情報を取得するようになっている。
【００２８】
広告情報取得手段４５０の動作例の一つとして、ルールベースシステムを基にした例をあげる。出力先識別情報、端末属性情報および時刻情報を条件部として、それに対する出力する広告、もしくは広告の集合を動作部とするルールを予め記述しておく。そして、出力先識別情報、端末属性情報および時刻情報を入力として、ルールベースシステムを動作させ、マッチしたルールの動作部の広告を返すことで実現できる。例えば、「乳製品売場」におけるルールの記述としては、端末属性情報が「ワイン売場から来た」となっている携帯所持者に対しては、ワインに合う「チーズ」の広告を出し、「パン売場から来た」となっている携帯所持者については「牛乳」の広告を出すいうことをルールで記述する。
【００２９】
なお、広告情報取得手段４５０は、出力先識別情報、端末属性情報、および時刻情報に基づいて複数の広告情報を広告情報格納手段４１０から選択し、選択された広告情報の中から、無作為または順番に１つの広告情報を取得するようにしてもよい。
また、広告情報取得手段４５０はルールベースシステムではなく、ニューラルネットシステム等の別の広告選択手段をとってもよい。
広告情報配信手段４６０は、広告情報取得手段４５０によって取得された広告情報をネットワークインタフェイス４９０を介して情報出力装置３００に送信するようになっている。
【００３０】
ここで、図面を参照して広告情報配信手段４６０によって配信される広告情報について詳しく説明する。
図５は、情報配信装置４００による広告情報の配信を示す説明図である。
図５（ａ）に示すように、情報配信装置４００は、予め定められたスケジュールに基づいて広告Ａ、広告Ｂ、広告Ｃ、広告Ｄ、広告Ｅ、広告Ａ、広告Ｂ、広告Ｃ…というように広告情報を順次配信している。
ここで、広告情報「広告Ｃ」を配信している間に、時刻３０でアクセスが発生した場合には、図５（ｂ）に示すように、情報配信装置４００は、前述した広告情報テーブルに基づいて広告情報取得手段４５０によって取得された広告情報「広告Ｘ」を現在配信している広告情報「広告Ｃ」の次に配信するようになっている。広告情報「広告Ｘ」を配信した後に、情報配信装置４００は、予め定められたスケジュールに基づいた広告情報の配信を再開する。
【００３１】
なお、図５（ｃ）に示すように、情報配信装置４００は、広告情報「広告Ｃ」を配信している間に、時刻３０でアクセスが発生した場合には、現在配信している広告情報の配信を中断し、広告情報「広告Ｘ」を配信するようにしてもよい。
また、図５（ｄ）に示すように、時刻３０でアクセスが発生した直後、例えば時刻４０で、同一の出力先識別情報と異なる端末属性情報とによるアクセスが発生した場合には、情報配信装置４００は、広告情報テーブルに基づいて取得した広告情報「広告Ｙ」を現在配信している広告情報「広告Ｘ」の次に配信するようになっている。
【００３２】
図４に戻り、アドレス情報格納手段４７０には、端末識別情報に対応した電子メイルアドレス等のネットワーク１０におけるアドレス情報が格納され、アドレス情報取得手段４７５は、情報出力装置３００によって送信された端末識別情報に対応するアドレス情報をアドレス情報格納手段４７０より取得するようになっている。付加情報送信手段４８０は、広告情報取得手段４５０によって取得された付加情報をアドレス情報取得手段４７５によって取得されたアドレス情報に基づいてネットワークインタフェイス４９０を介して送信するようになっている。
【００３３】
以下に、広告情報提供システム１０００の動作を説明する。
図６は、属性情報格納装置２００の動作を示すフローチャートである。
まず、携帯所持者が属性情報格納装置２００に接近すると、携帯端末装置１００に付された無線タグ１１０に格納された端末識別情報が端末識別情報読込手段２１０によって読み込まれる（Ｓ２１０）。次に、端末識別情報読込手段２１０によって端末識別情報が読み込めなくなると（Ｓ２２０）、端末属性情報が端末属性情報生成手段２３０によって生成され（Ｓ２３０）、生成された端末属性情報が情報配信装置４００にネットワークインタフェイス２９０を介して送信される（Ｓ２４０）。
【００３４】
図７は、情報出力装置３００の動作を示すフローチャートである。
なお、情報出力装置３００において、属性情報格納装置を構成する部分の動作は、属性情報格納装置２００の動作と同一であるため、説明を省略する。
まず、携帯所持者が情報出力装置３００に接近すると、携帯端末装置１００に付された無線タグ１１０に格納された端末識別情報が端末識別情報読込手段３１０によって読み込まれる（Ｓ３１０）。次に、端末識別情報読込手段３１０によって読み込まれた端末識別情報と出力先識別情報格納手段３３０に格納された出力先識別情報とがネットワークインタフェイス３９０を介して情報配信装置４００に送信される（Ｓ３２０）。
【００３５】
ここで、情報出力装置３００の近傍を通過しただけの者が所持する物品に付された無線タグによって広告情報提供システム１０００が動作しないよう、予め定められた時間、継続的に読み込まれた端末識別情報があった場合に、端末識別情報と出力先識別情報とを情報配信装置４００に送信するようにしてもよい。
一方、情報配信装置４００によって送信された広告情報は、広告情報出力手段３２０によってネットワークインタフェイス３９０を介して受信され（Ｓ２３０）、受信された広告情報が広告情報出力手段３２０によって出力される（Ｓ３４０）。
【００３６】
図８は、情報配備装置４００の動作を示すフローチャートである。
まず、ネットワークインタフェイス４９０を介して受信した情報の種類を確認する。受信した情報が、属性情報格納装置２００から送信された端末属性情報だった場合（Ｓ４１０）、端末属性情報を属性情報格納手段４３０に格納する（Ｓ４２０）。また、受信した情報が、情報出力装置３００によって送信された端末識別情報および出力先識別情報だった場合、広告情報取得手段４５０によって受信される（Ｓ４３０）。端末識別情報および出力先識別情報が広告情報取得手段４５０によって受信された場合には、受信された端末識別情報に対応する端末属性情報が属性情報格納手段４３０より端末属性情報取得手段４４０によって取得される（Ｓ４４０）。次に、端末属性情報取得手段４４０によって取得された端末属性情報、広告情報取得手段４５０によって受信された出力先識別情報、および時刻情報生成手段４２０によって生成された時刻情報に基づいて広告情報格納手段４１０より広告情報および付加情報が広告情報取得手段４５０によって取得される（Ｓ４５０）。
【００３７】
ここで、広告情報取得手段４５０によって付加情報が取得された場合（Ｓ４６０）には、情報出力装置３００によって送信された端末識別情報に対応するアドレス情報が、アドレス情報取得手段４７５によってアドレス情報格納手段４７０より取得され（Ｓ４７０）、取得されたアドレス情報に基づいて付加情報が付加情報送信手段４８０によってネットワークインタフェイス４９０を介して送信される（Ｓ４８０）。
一方、端末識別情報および出力先識別情報が広告情報取得手段４５０によって受信されなかった場合には、予め定められたスケジュールに基づいて広告情報格納手段４１０より広告情報が広告情報取得手段４５０によって取得される（Ｓ４９０）。広告情報取得手段４５０によって取得された広告情報は、ネットワークインタフェイス４９０を介して広告情報配信手段４６０によって情報出力装置３００に送信される（Ｓ４９９）。
【００３８】
以上説明したように、広告情報提供システム１０００によれば、広告閲覧者によって携行される携帯端末装置に付された無線ダダに格納された端末識別情報を以って、広告閲覧者の位置や移動履歴を得ることによって提供する広告を変化させるため、広告の切り換えや広告に関する情報の要求操作をしない広告閲覧者に対しても広告効果を向上させることができる。
【００３９】
（第２の実施の形態）
図９は、本発明の第２の実施の形態に係る広告情報提供システム２０００の構成を示すブロック図である。
広告情報提供システム２０００は、ネットワーク１０を介して通信可能な携帯端末装置１００に付され携帯端末装置１００を識別するための端末識別情報が格納された無線タグ１１０と、設置された場所に関する属性情報が格納された属性情報格納装置７００と、広告情報を出力する情報出力装置８００と、ネットワーク１０を介して情報出力装置８００に広告情報を配信する情報配信装置９００とを備えている。
なお、図９において、１つの属性情報格納装置７００および１つの情報出力装置８００が図示されているが、広告情報提供システム２０００は、複数の属性情報格納装置７００および複数の情報出力装置８００によって構成される。
また、本発明の第１の実施の形態で説明したように、携帯端末装置１００付されている無線タグ１１０には、携帯端末装置１００を識別するための端末識別情報が予め格納されているが、本発明の第２の実施の形態における無線タグ１１０は、情報の書き込みが可能である。
【００４０】
図１０は、属性情報格納装置７００の構成を示すブロック図である。
属性情報格納装置７００は、無線タグ１１０を検知すると共に無線タグ１１０を検知した時間を表す時間情報および属性情報を含む端末属性情報を無線タグ１１０に書き込む端末属性情報書込手段７４０と、属性情報格納装置７００が設置された場所に関する属性情報が格納された属性情報格納手段２２０と、端末属性情報を生成する端末属性情報生成手段７３０とを備えている。
なお、図１０において、本発明の第１の実施の形態に係る属性情報格納装置２００の構成要素と同一の構成要素には、同一の符号を付した。
端末属性情報書込手段７４０は、ＲＦＩＤ技術によって、電波を介して非接触で無線タグ１１０を検知するようになっており、端末属性情報生成手段７３０は、端末属性情報書込手段７４０によって無線タグ１１０が検知された時間を計時し、計時した時間よりなる時間情報および属性情報よりなる端末属性情報を生成するようになっている。
【００４１】
ここで、端末属性情報書込手段７４０は、端末属性情報生成手段７３０によって生成された端末属性情報を無線タグ１１０に書き込むようになっている。
具体的には、端末属性情報生成手段７３０は、端末属性情報書込手段７４０によって無線タグ１１０が検知されている間、端末属性情報を断続的に生成し、端末属性情報書込手段７４０は、端末属性情報生成手段７３０によって生成された端末属性情報を更新しながら無線タグ１１０に書き込むようになっている。
すなわち、無線タグ１１０が検知されなくなったとき、無線タグ１１０に書き込まれた端末属性情報には、端末属性情報書込手段７４０によって最初に検知された時刻から最後に検知された時刻までの時間を表す時間情報が含まれる。
【００４２】
図１１は、情報出力装置８００の構成を示すブロック図である。
情報出力装置８００は、端末識別情報および端末属性情報を無線タグ１１０より読み込む端末識別情報読込手段８１０と、情報配信装置９００によって配信された広告情報を出力する広告情報出力手段３２０と、広告情報出力手段３２０を識別する識別情報を予め格納する出力先識別情報格納手段３３０と、ネットワーク１０に接続された装置と通信を行うネットワークインタフェイス３９０とを備えている。
なお、本発明の第２の実施の形態に係る情報出力装置８００においては、本発明の第１の実施の形態に係る情報出力装置３００の構成要素と同一の構成要素に同一の符号を付して、その詳細な説明を省略する。
【００４３】
端末識別情報読込手段８１０は、ＲＦＩＤ技術によって、電波を介して非接触で無線タグ１１０に格納された端末識別情報および端末属性情報を読み込み、読み込んだ端末識別情報および端末属性情報を出力先識別情報格納手段３３０に格納された出力先識別情報と共にネットワークインタフェイス３９０を介して情報配信装置９００に送信するようになっている。
【００４４】
また、本実施形態において、情報出力装置８００は、属性情報格納装置をさらに備える。すなわち、情報出力装置８００は、無線タグ１１０を検知すると共に端末属性情報を無線タグ１１０に書き込む端末属性情報書込手段８６０と、情報出力装置８００が設置された場所に関する属性情報が格納された属性情報格納手段３４０と、端末属性情報を生成する端末属性情報生成手段８５０とを備えている。ここで、属性情報格納手段３４０、端末属性情報生成手段８５０、および端末属性情報書込手段８６０は、属性情報格納装置７００を構成する属性情報格納手段２２０、端末属性情報生成手段７３０、および端末属性情報書込手段７４０とそれぞれ同一な構成である。
また、本実施形態においては、端末識別情報読込手段３１０と端末属性情報書込手段８６０とは、１つの無線タグリーダライタ装置によって構成するようにしてもよい。
【００４５】
図１２は、情報配信装置９００の構成を示すブロック図である。
情報配信装置９００は、複数の広告情報および広告情報に関する付加情報を予め格納する広告情報格納手段４１０と、現在時刻を表す時刻情報を生成する時刻情報生成手段４２０と、広告情報格納手段４１０より広告情報を取得する広告情報取得手段９５０と、広告情報を配信する広告情報配信手段４６０と、端末識別情報に対応する携帯端末装置１００の送信アドレスを表すアドレス情報を格納するアドレス情報格納手段４７０と、アドレス情報格納手段４７０よりアドレス情報を取得するアドレス情報取得手段４７５と、広告情報に関する付加情報を送信する付加情報送信手段４８０と、ネットワーク１０に接続された装置と通信を行うネットワークインタフェイス４９０とを備えている。
なお、本発明の第２の実施の形態に係る情報配信装置９００においては、本発明の第１の実施の形態に係る情報配信装置４００の構成要素と同一の構成要素に同一の符号を付して、その詳細な説明を省略する。
【００４６】
広告情報取得手段９５０は、本発明の第１の実施の形態に係る情報配信装置４００を構成する広告情報取得手段４５０が広告情報格納手段４１０より広告情報および付加情報を取得するために、端末属性情報取得手段４４０によって取得された端末属性情報を参照するのに対して、情報出力装置８００によって送信された端末属性情報を参照する点が相違する。
【００４７】
以下に、広告情報提供システム２０００の動作を説明する。
図１３は、属性情報格納装置７００の動作を示すフローチャートである。
まず、携帯所持者が属性情報格納装置７００に接近すると、携帯端末装置１００に付された無線タグ１１０が端末属性情報書込手段７４０によって検知される（Ｓ７１０）。次に、端末属性情報書込手段７４０によって無線タグ１１０が検知されなくなるまで（Ｓ７４０）、端末属性情報が端末属性情報生成手段７３０によって生成され（Ｓ７２０）、生成された端末属性情報が端末属性情報書込手段７４０によって無線タグ１１０に更新されながら書き込まれる（Ｓ７３０）。
【００４８】
図１４は、情報出力装置８００の動作を示すフローチャートである。
なお、情報出力装置８００において、属性情報格納装置を構成する部分の動作は、属性情報格納装置７００の動作と同一であるため、説明を省略する。
まず、携帯所持者が情報出力装置８００に接近すると、携帯端末装置１００に付された無線タグ１１０に格納された端末識別情報および端末属性情報が端末識別情報読込手段８１０によって読み込まれる（Ｓ８１０）。次に、端末識別情報読込手段８１０によって読み込まれた端末識別情報および端末属性情報と出力先識別情報格納手段３３０に格納された出力先識別情報とがネットワークインタフェイス３９０を介して情報配信装置９００に送信される（Ｓ８２０）。一方、情報配信装置９００によって送信された広告情報は、広告情報出力手段３２０によってネットワークインタフェイス３９０を介して受信され（Ｓ８３０）、受信された広告情報が広告情報出力手段３２０によって出力される（Ｓ８４０）。
【００４９】
図１５は、情報配信装置９００の動作を示すフローチャートである。
まず、情報出力装置８００によって送信された端末識別情報、端末属性情報および出力先識別情報が広告情報取得手段９５０によって受信される（Ｓ９１０）。端末識別情報、端末属性情報および出力先識別情報が広告情報取得手段９５０によって受信された場合には、広告情報取得手段９５０によって受信された端末属性情報、出力先識別情報、および時刻情報生成手段４２０によって生成された時刻情報に基づいて広告情報格納手段４１０より広告情報および付加情報が広告情報取得手段９５０によって取得される（Ｓ９３０）。
【００５０】
ここで、広告情報取得手段４５０によって付加情報が取得された場合（Ｓ９４０）には、情報出力装置８００によって送信された端末識別情報に対応するアドレス情報が、アドレス情報取得手段４７５によってアドレス情報格納手段４７０より取得され（Ｓ９５０）、取得されたアドレス情報に基づいて付加情報が付加情報送信手段４８０によってネットワークインタフェイス４９０を介して送信される（Ｓ９６０）。一方、端末識別情報、端末属性情報および出力先識別情報が広告情報取得手段９５０によって受信されなかった場合には、予め定められたスケジュールに基づいて広告情報格納手段４１０より広告情報が広告情報取得手段４５０によって取得される（Ｓ９７０）。広告情報取得手段９５０によって取得された広告情報は、ネットワークインタフェイス４９０を介して広告情報配信手段４００によって情報出力装置８００に送信される（Ｓ９８０）。
【００５１】
以上説明したように、広告情報提供システム２０００によれば、広告閲覧者によって携行される携帯端末装置に付された無線タグに格納された端末識別情報および端末属性情報を以って、広告閲覧者の位置や移動履歴を得ることによって提供する広告を変化させるため、広告の切り換えや広告に関する情報の要求操作をしない広告閲覧者に対しても広告効果を向上させることができる。
【００５２】
【発明の効果】
以上説明したように、この発明によれば、広告の切り換えや広告に関する情報の要求操作をしない広告閲覧者に対しても広告効果を向上させることができるという効果が得られる。
【図面の簡単な説明】
【図１】本発明の第１の実施の形態に係る広告情報提供システム１０００の構成を示すブロック図である。
【図２】本発明の第１の実施の形態に係る属性情報格納装置２００の構成を示すブロック図である。
【図３】本発明の第１の実施の形態に係る情報出力装置３００の構成を示すブロック図である。
【図４】本発明の第１の実施の形態に係る情報配信装置４００の構成を示すブロック図である。
【図５】本発明の第１の実施の形態に係る情報配信装置４００による広告情報の配信を示す説明図である。
【図６】本発明の第１の実施の形態に係る属性情報格納装置２００の動作を示すフローチャートである。
【図７】本発明の第１の実施の形態に係る情報出力装置３００の動作を示すフローチャートである。
【図８】本発明の第１の実施の形態に係る情報配信装置４００の動作を示すフローチャートである。
【図９】本発明の第２の実施の形態に係る広告情報提供システム２０００の構成を示すブロック図である。
【図１０】本発明の第２の実施の形態に係る属性情報格納装置７００の構成を示すブロック図である。
【図１１】本発明の第２の実施の形態に係る情報出力装置８００の構成を示すブロック図である。
【図１２】本発明の第２の実施の形態に係る情報配信装置９００の構成を示すブロック図である。
【図１３】本発明の第２の実施の形態に係る属性情報格納装置７００の動作を示すフローチャートである。
【図１４】本発明の第２の実施の形態に係る情報出力装置８００の動作を示すフローチャートである。
【図１５】本発明の第２の実施の形態に係る情報配信装置９００の動作を示すフローチャートである。
【符号の説明】
１０００、２０００・・・広告情報提供システム
１０・・・ネットワーク
１００・・・携帯端末装置
１１０・・・無線タグ
２００、７００・・・属性情報格納装置
３００、８００・・・情報出力装置
４００、９００・・・情報配信装置
【図１】
2004354619.tif 000003
【図２】
2004354619.tif 000004
【図３】
2004354619.tif 000005
【図４】
2004354619.tif 000006
【図５】
2004354619.tif 000007
【図６】
2004354619.tif 000008
【図７】
2004354619.tif 000009
【図８】
2004354619.tif 000010
【図９】
2004354619.tif 000011
【図１０】
2004354619.tif 000012
【図１１】
2004354619.tif 000013
【図１２】
2004354619.tif 000014
【図１３】
2004354619.tif 000015
【図１４】
2004354619.tif 000016
【図１５】
2004354619.tif 000017